(57)【要約】【課題】  製品の品質を劣化させることなく、ラミネートフィルムを貼った形材を切断する方法を提供する。【解決手段】  次の工程を有する、表面にラミネートフィルムを貼ってあり裏面に複数のガイド溝を有する形材の切断方法。（１）選択したガイド溝に治具のガイド部を沿わせて、治具の刃部で表面のラミネートフィルムを切断する工程。（２）選択したガイド溝をカッターで切り込み、形材を折り取るか又はねじり取る工程。【選択図】      図１
2018118321.tif 000002
【特許請求の範囲】
【請求項１】
次の工程を有する、表面にラミネートフィルムを貼ってあり裏面に複数のガイド溝を有する形材の切断方法。
（１）選択したガイド溝に治具のガイド部を沿わせて、治具の刃部で表面のラミネートフィルムを切断する工程。
（２）選択したガイド溝をカッターで切り込み、形材を折り取るか又はねじり取る工程。
【発明の詳細な説明】
【技術分野】
【０００１】
本発明は、ラミネートフィルムを貼った形材の切断方法に関する。
【背景技術】
【０００２】
従来、表面にラミネートフィルムを貼った形材を切断する場合には、非特許文献１に示すように、形材を折り取ってから、カッターでラミネートフィルムを切断していた。
【先行技術文献】
【非特許文献】
【０００３】
【非特許文献１】「リフォーム玄関ドアラフォースＲ２施工要領書（ＨＷ１３９５Ｂ）」、三協立山アルミ株式会社、２０１０年１１月、ｐ．２３
【発明の概要】
【発明が解決しようとする課題】
【０００４】
しかしながら、このような従来の方法では、形材を折り取った際に、ラミネートフィルムにめくれや伸びが生じて、製品の品質が劣化する場合があった。
【０００５】
本発明は、上記事情を鑑みたものであり、製品の品質を劣化させることなく、ラミネートフィルムを貼った形材を切断する方法を提供することを目的とする。
【課題を解決するための手段】
【０００６】
本発明は、次の工程を有する、表面にラミネートフィルムを貼ってあり裏面に複数のガイド溝を有する形材の切断方法である。
（１）選択したガイド溝に治具のガイド部を沿わせて、治具の刃部で表面のラミネートフィルムを切断する工程。
（２）選択したガイド溝をカッターで切り込み、形材を折り取るか又はねじり取る工程。
【発明の効果】
【０００７】
本発明によれば、ラミネートフィルムを先に切断するので、フィルムにめくれや伸びが生じることがなく、製品の品質が向上する。また、フィルムを先に切断することで、形材をねじり取ることも可能となり、作業効率が向上する。
【図面の簡単な説明】
【０００８】
【図１】（ａ）〜（ｃ）は、本発明の形材の切断方法の手順図である。
【図２】治具によるラミネートフィルムの切断の説明図である。
【図３】治具の分解斜視図である。
【図４】形材をねじり取る場合の説明図である。
【発明を実施するための形態】
【０００９】
以下、本発明の実施の形態を図面に基づいて説明する。この実施例における形材は、既存の戸を取り外して残った既存枠の内周側に取り付けられる改修戸の化粧カバーとして用いるものであり、既存枠と躯体の納まりに応じて、一部の面を切断して長さを調整する必要がある。形材１の断面形状は、図１及び図２に示すように、略Ｌ字形であって、表面にラミネートフィルム２を貼ってあり、長さ調整が必要な面の裏面に、形材１の長手方向に沿って延びるガイド溝１１を形成してある。ガイド溝１１は、等間隔に並んで複数本形成してあり、板厚の１／３程度の深さの断面略半円形の溝となっていて、何れか１本のガイド溝１１を選択して、その選択したガイド溝１１ａに沿って形材を切断する。
【００１０】
図１に示すように、形材の切断には、ラミネートフィルム２を切断するための治具３と、カッター４と、ペンチ５を用いる。このうち、カッター４とペンチ５は一般的な工具であり、ここでは治具３について説明する。なお、以下において前後左右とは、図３に示す各方向のことである。治具３は、図２及び図３に示すように、上下に対向する略直方体形の上側胴部３３及び下側胴部３４と、上側胴部３３と下側胴部３４の後端部同士を接続する半円弧状の接続部３５を有し、全体で略Ｕ字形であって、全体が樹脂により成形されている。よって、上側胴部３３と下側胴部３４に上下から力を加えると、接続部３５がたわんで、上側胴部３３と下側胴部３４の前端部同士が接近するように変形させることができる。上側胴部３３は、前側の一部が左右に幅広に形成してあり、さらに上下に突出した前端面３６を形成してある。そして、前端面３６の下端部と上端部が前側に突出しており、下側の突出部の左右方向中央部及び上側の突出部の左右両端部を切り欠いて、カッター刃３７の受部３８ａ，３８ｂを形成してある。下側の受部３８ａは上下に貫通しており、上側の左右の受部３８ｂはそれぞれ下側に開口する形状である。カッター刃３７は、市販品を折り取り線で折り取った１片からなる平行四辺形のものであり、刃部３２側を下側の受部３８ａに嵌め、その反対側を上側の左右何れか（図３では左）の受部３８ｂに嵌めてある。この際、下側の受部３８ａが上下に貫通する形状なので、カッター刃３７の刃部３２の先端が、前端面３６から下側に突出する。また、上側の左の受部３８ｂを選択したことにより、刃部３２が右側を向いており、この場合、切断方向は左向きとなる。上側の右の受部３８ｂを選択すれば、刃部３２は左側を向き、切断方向は右向きとなる。そして、前端面３６の前側から矩形平板状の挟持板３９をネジ止めして取り付け、前端面３６と挟持板３９とでカッター刃３７を挟み込んで固定してある。また、下側胴部３４の前端部の上側面には、２本のガイド部３１ａ，３１ｂを形成してある。ガイド部３１ａ，３１ｂは、下側胴部３４の左右方向に沿って延びる断面略三角形の突条からなり、２本のガイド部３１ａ，３１ｂの間隔は、形材１のガイド溝１１の間隔と等しく、前側のガイド部３１ａが、上側胴部３３の刃部３２に対向している。よって、上側胴部３３と下側胴部３４に上下から力を加えると、刃部３２と前側のガイド部３１ａが接近する。
【００１１】
次に、図１及び図２に基づき、本発明の、表面にラミネートフィルム２を貼ってあり裏面に複数のガイド溝１１を有する形材１の切断方法の各工程について詳述する。まず、この形材１の取付対象の形状や構造に応じて、どのガイド溝１１の位置で切断するかを選択する。次に、選択したガイド溝１１ａに、治具３の前側のガイド部３１ａを沿わせて、治具３の刃部３２で表面のラミネートフィルム２を切断する（図１（ａ））。この際、図２に示すように、前側のガイド部３１ａを選択したガイド溝１１ａに挿入すると、後側のガイド部３１ｂは、選択したガイド溝１１ａの隣のガイド溝１１ｂに挿入される。形材１の裏面のガイド溝１１ａ，１１ｂに治具３のガイド部３１ａ，３１ｂを挿入した状態で、治具３の上側胴部３３と下側胴部３４を上下から挟むようにして力を加えると、接続部３５がたわんで、前側のガイド部３１ａに刃部３２が接近し、形材１の表面のラミネートフィルム２の、選択したガイド溝１１ａに対応する位置に当接する。そして、刃部３２をラミネートフィルム２に当接させた状態で、治具３を左右方向に摺動させることで、刃部３２により、選択したガイド溝１１ａの位置で、ラミネートフィルム２が切断される。次に、選択したガイド溝１１ａをカッター４で切り込む（図１（ｂ））。この際、形材１の裏面から選択したガイド溝１１ａにカッター４の刃の先端を挿入し、そのままカッター４を摺動させればよく、それ以外の工具は不要である。カッター４によって形材１を切断する必要はなく、ある程度の深さの切り込みを形成すれば十分である。次に、ペンチ５により、選択したガイド溝１１ａで形材１を折り取る（図１（ｃ））。この際、ペンチ５で形材１の選択したガイド溝１１ａより先端側の部分を掴み、力を加えて折り曲げるが、長い形材１を１度に折り曲げることはできないので、長手方向に沿って、部分的に順次折り曲げていき、形材１を金属疲労により分離させる。以上で、形材１の切断が完了する。
【００１２】
このような形材１の切断方法によれば、治具３によりラミネートフィルム２を先に切断するので、ラミネートフィルム２にめくれや伸びが生じることがなく、製品の品質が向上する。また、治具３に２本のガイド部３１ａ，３１ｂを設けてあるので、ラミネートフィルム２を切断する際に、治具３を安定して摺動させることができる。さらに、治具３の上側の左右の受部３８ｂの何れにカッター刃３７を嵌めるかによって、刃部３２の向きが変わり、作業者の利き腕などに応じて、治具３の切断方向を選択できる。
【００１３】
また、ラミネートフィルム２を先に切断することで、形材をねじり取ることも可能となる。すなわち、上記の切断方法において、ペンチ５で形材を折り取る代わりに、図４に示すように、ペンチ５で形材１の選択したガイド溝１１ａより先端側の部分を掴み、ペンチ５を回転させて、ペンチ５に形材１の不要部分を巻き付けるようにして、形材１を選択したガイド溝１１ａで分離させていく。この方法は、ラミネートフィルム２が先に切断されていないと不可能であり、折り取る方法と比較して、より作業効率が向上する。
【００１４】
本発明は、上記の実施形態に限定されない。たとえば、治具は、ガイド溝に沿ってラミネートフィルムを切断できるものであれば、どのような構造のものであってもよく、金属製のものや、ヒンジ構造により刃部とガイド部が接近・離隔するものであってもよい。また、本発明の形材の切断方法は、種々の建材その他の構造物を構成する形材に適用できる。
【符号の説明】
【００１５】
１  形材
２  ラミネートフィルム
３  治具
４  カッター
１１，１１ａ，１１ｂ  ガイド溝
３１ａ，３１ｂ  ガイド部
３２  刃部
【図１】
2018118321.tif 000003
【図２】
2018118321.tif 000004
【図３】
2018118321.tif 000005
【図４】
2018118321.tif 000006